(57)【要約】【課題】通常時は小屋裏を換気して著しく高温となってしまうのを抑制することができるとともに、建物に火災が生じた場合、当該小屋裏が煙突の機能を果たしてしまうのを確実に防止することができる小屋裏換気装置を提供する。【解決手段】建物の天井と屋根との間に形成された空間から成る小屋裏Ｓに対して吸気孔１から導入した空気を排気孔２から排出することにより当該小屋裏Ｓを換気し得る小屋裏換気装置において、排気孔２を開閉可能とされ、開状態で当該排気孔２からの空気の排出が許容されるとともに、閉状態で当該排気孔２からの空気の排出が遮断される開閉手段３と、建物の何れかの部位に配設され、火災を検知する火災検知手段４〜６と、該火災検知手段にて火災が検知されると開閉手段３を閉状態とする制御手段７とを備えたものである。【選択図】図１
2009013688.tif 000002
【特許請求の範囲】
【請求項１】
建物の天井と屋根との間に形成された空間から成る小屋裏に対して吸気孔から導入した空気を排気孔から排出することにより当該小屋裏を換気し得る小屋裏換気装置において、
前記排気孔を開閉可能とされ、開状態で当該排気孔からの空気の排出が許容されるとともに、閉状態で当該排気孔からの空気の排出が遮断される開閉手段と、
建物の何れかの部位に配設され、火災を検知する火災検知手段と、
該火災検知手段にて火災が検知されると前記開閉手段を閉状態とする制御手段と、
を備えたことを特徴とする小屋裏換気装置。
【請求項２】
前記開閉部材は、
前記排気孔の周囲を覆いつつ形成された枠体と、
該枠体に取り付けられて電動で駆動可能とされ、当該動作により前記排気孔を開閉するシャッター部材と、
を具備したことを特徴とする請求項１記載の小屋裏換気装置。
【請求項３】
前記火災検知手段は、雰囲気温度を検知して火災を検知するセンサから成り、少なくとも小屋裏の何れかの部位、及び建物の外壁面に設けられたことを特徴とする請求項１又は請求項２記載の小屋裏換気装置。
【発明の詳細な説明】
【技術分野】
【０００１】
本発明は、建物の天井と屋根との間に形成された空間から成る小屋裏に対して吸気孔から導入した空気を排気孔から排出することにより当該小屋裏を換気し得る小屋裏換気装置に関するものである。
【背景技術】
【０００２】
住宅等の建物は、近時において高気密・高断熱化が益々高められているものの、その弊害も多くなってきているのが実情である。例えば、建物の天井と屋根との間に形成された空間から成る小屋裏は、夏期の日中温度が６０℃を超えることがある一方、夜間温度が著しく下がることにより空気中の水分により結露が生じてしまう虞がある。その対策として、従来、小屋裏に空気を導入する吸気孔と、導入した空気を外部へ排出する排気孔とを形成することが提案されている。
【０００３】
このように、吸気孔及び排気孔を有した従来の小屋裏換気装置によれば、小屋裏を常に換気して著しく高温となってしまうのを回避することができるので、上記の如き不具合を解消することができる。尚、かかる先行技術は、文献公知発明に係るものでないため、記載すべき先行技術文献情報はない。
【発明の開示】
【発明が解決しようとする課題】
【０００４】
しかしながら、上記従来の小屋裏換気装置においては、吸気孔及び排気孔による空気の換気が常時行われるので、火災が生じた場合、小屋裏そのものが煙突の機能を果たしてしまい、その煙突効果により被害の速度を不用意に速めてしまう虞があった。
【０００５】
本発明は、このような事情に鑑みてなされたもので、通常時は小屋裏を換気して著しく高温となってしまうのを抑制することができるとともに、建物に火災が生じた場合、当該小屋裏が煙突の機能を果たしてしまうのを確実に防止することができる小屋裏換気装置を提供することにある。
【課題を解決するための手段】
【０００６】
請求項１記載の発明は、建物の天井と屋根との間に形成された空間から成る小屋裏に対して吸気孔から導入した空気を排気孔から排出することにより当該小屋裏を換気し得る小屋裏換気装置において、前記排気孔を開閉可能とされ、開状態で当該排気孔からの空気の排出が許容されるとともに、閉状態で当該排気孔からの空気の排出が遮断される開閉手段と、建物の何れかの部位に配設され、火災を検知する火災検知手段と、該火災検知手段にて火災が検知されると前記開閉手段を閉状態とする制御手段とを備えたことを特徴とする。
【０００７】
請求項２記載の発明は、請求項１記載の小屋裏換気装置において、前記開閉部材は、前記排気孔の周囲を覆いつつ形成された枠体と、該枠体に取り付けられて電動で駆動可能とされ、当該動作により前記排気孔を開閉するシャッター部材とを具備したことを特徴とする。
【０００８】
請求項３記載の発明は、請求項１又は請求項２記載の小屋裏換気装置において、前記火災検知手段は、雰囲気温度を検知して火災を検知するセンサから成り、少なくとも小屋裏の何れかの部位、及び建物の外壁面に設けられたことを特徴とする。
【発明の効果】
【０００９】
請求項１の発明によれば、火災が検知されると開閉手段を閉状態とすることができるので、通常時は小屋裏を換気して著しく高温となってしまうのを抑制することができるとともに、建物に火災が生じた場合、当該小屋裏が煙突の機能を果たしてしまうのを確実に防止することができる。
【００１０】
請求項２の発明によれば、開閉部材は、排気孔の周囲を覆いつつ形成された枠体と、該枠体に取り付けられて電動で駆動可能とされ当該動作により排気孔を開閉するシャッター部材とを具備したので、汎用的構成要素にて開閉部材を構成させることができ、製造コストを抑えることができる。
【００１１】
請求項３の発明によれば、火災検知手段は、雰囲気温度を検知して火災を検知するセンサから成り、少なくとも小屋裏の何れかの部位、及び建物の外壁面に設けられたので、確実に且つ安価に火災を検知することができる。
【発明を実施するための最良の形態】
【００１２】
以下、本発明の実施形態について図面を参照しながら具体的に説明する。
第１の実施形態に係る小屋裏換気装置は、図１に示すように、寄棟屋根を有した建物の天井と屋根との間に形成された空間から成る小屋裏Ｓに対して吸気孔１（軒天吸気孔）から導入した空気を排気孔２（棟排気孔）から排出することにより当該小屋裏Ｓを換気（所謂、棟換気）し得るものである。尚、同図中、符号Ａは建物の居住空間を示している。
【００１３】
かかる小屋裏換気装置は、開閉手段３と、火災検知手段としてのセンサ４、５、６と、マイコン等から成る制御手段７とから主に構成されている。このうちセンサ４は、小屋裏Ｓの何れかの部位に配設されたものであり、センサ５は、建物の外壁面（好ましくは４方に臨んだそれぞれの壁面の全て）に設けられたものである。また、センサ６は、居住空間Ａ（好ましくは火を扱う台所等）に設けられたものであり、例えば部屋の天井に設置されている。
【００１４】
これらセンサ４、５、６は、雰囲気温度（各センサ周囲の空気温度）を検知して火災を検知し得るものであり、制御手段７と電気的に接続されている。このように、火災検知手段が、雰囲気温度を検知して火災を検知するセンサから成り、少なくとも小屋裏Ｓの何れかの部位、及び建物の外壁面に設けられたので、確実に且つ安価に火災を検知することができる。
【００１５】
開閉手段３は、図２、３に示すように、排気孔２の周囲を覆いつつ形成された枠体８と、該枠体８に取り付けられて電動で駆動可能とされ、当該動作により排気孔２を開閉するシャッター部材９とを具備して構成されている。具体的には、枠体８は、下方に開口しつつ排気孔２の周囲を覆って小屋裏Ｓに固定され、当該開口をシャッター部材９が摺動して開閉可能とされている。
【００１６】
即ち、図示しないモータが駆動することにより、シャッター部材９が枠体８の開口縁に沿って摺動し、図２の状態（排気孔２が開放された状態）から図３の状態（排気孔２が遮断された状態）となるよう構成されているのである。これにより、開閉手段３により排気孔２を開閉可能とされており、開状態で当該排気孔２からの空気の排出が許容されるとともに、閉状態で当該排気孔２からの空気の排出が遮断されるのである。
【００１７】
尚、火災が検知されない通常時は、シャッター部材９は開状態（図２参照）とされており、吸気孔１から小屋裏Ｓに導入された空気が排気孔２から排出されて換気されるようになっている。また、居住空間Ａなどにシャッター部材９を操作する操作ボタン等を配設しておき、火災が検知されない通常時でも任意にシャッター部材９を開状態（図２の状態）から閉状態（図３の状態）とすることができるよう構成してもよい。特に、冬期においてはシャッター部材９を閉じておくことにより、居住空間Ａの熱ロスを抑制することができる。即ち、シャッター部材９を閉じておけば、日中の直射日光で屋根が暖められ、その結果小屋裏Ｓも暖められるので、効果的に居住空間Ａを暖かい状態に維持することができるのである。
【００１８】
制御手段７は、火災検知手段としてのセンサ４〜６にて火災が検知されると開閉手段３のシャッター部材９を閉状態として排気孔２からの空気の排出を遮断し得るものである。具体的には、制御手段７は、シャッター部材９を駆動させるためのモータユニット（不図示）と電気的に接続されており、センサ４〜６が火災を検知したことを条件として、開状態のシャッター部材９を閉状態となるまで動作させ得るよう構成されている。尚、冬期においてシャッター部材９が閉じた状態となっている場合、センサ４〜６により火災が検知されてもシャッター部材９は閉じた状態が維持されることとなる。
【００１９】
上記第１の実施形態によれば、火災が検知されると開閉手段３を閉状態とすることができるので、通常時は小屋裏Ｓを換気して著しく高温となってしまうのを抑制することができるとともに、建物に火災が生じた場合、当該小屋裏Ｓが煙突の機能を果たしてしまうのを確実に防止することができる。また、開閉部材３は、排気孔２の周囲を覆いつつ形成された枠体８と、該枠体８に取り付けられて電動で駆動可能とされ当該動作により排気孔２を開閉するシャッター部材９とを具備したので、汎用的構成要素にて開閉部材３を構成させることができ、製造コストを抑えることができる。
【００２０】
次に、本発明の第２の実施形態について説明する。
本実施形態に係る小屋裏換気装置は、図４で示すように、切妻屋根を有した建物の天井と屋根との間に形成された空間から成る小屋裏Ｓに対して吸気孔１から導入した空気を排気孔２’から排出することにより当該小屋裏Ｓを換気（所謂、妻換気）し得るものである。尚、第１の実施形態と同様の構成要素には同一の符号を付し、それらの詳細な説明を省略する。
【００２１】
排気孔２’は、建物の側面で開口した孔から成り、例えば当該建物の対向する両側面にそれぞれ形成されている。本実施形態における小屋裏換気装置は、第１の実施形態と同様の火災検知手段としてのセンサ４、５、６、及びマイコン等から成る制御手段７の他、開閉手段３’を有して構成されている。
【００２２】
開閉手段３’は、図５、６に示すように、排気孔２’の周囲を覆いつつ形成された枠体８’と、該枠体８’に取り付けられて電動で駆動可能とされ、当該動作により排気孔２’を開閉するシャッター部材９’とを具備して構成されている。具体的には、枠体８’は、小屋裏Ｓ内側に向かって開口しつつ排気孔２’の周囲を覆って当該小屋裏Ｓに固定され、当該開口をシャッター部材９’が摺動して開閉可能とされている。
【００２３】
即ち、本実施形態においても、第１の実施形態と同様、図示しないモータが駆動することにより、シャッター部材９’が枠体８’の開口縁に沿って摺動し、図５の状態（排気孔２’が開放された状態）から図６の状態（排気孔２’が遮断された状態）となるよう構成されているのである。これにより、開閉手段３’により排気孔２’を開閉可能とされており、開状態で当該排気孔２’からの空気の排出が許容されるとともに、閉状態で当該排気孔２’からの空気の排出が遮断されるのである。
【００２４】
尚、第１の実施形態と同様、火災が検知されない通常時は、シャッター部材９’は開状態（図５参照）とされており、吸気孔１から小屋裏Ｓに導入された空気が排気孔２’から排出されて換気されるようになっている。また、居住空間Ａなどにシャッター部材９’を操作する操作ボタン等を配設しておき、火災が検知されない通常時でも任意にシャッター部材９’を開状態（図５の状態）から閉状態（図６の状態）とすることができるよう構成してもよい。
【００２５】
上記第２の実施形態によれば、第１の実施形態と同様、火災が検知されると開閉手段３を閉状態とすることができるので、通常時は小屋裏Ｓを換気して著しく高温となってしまうのを抑制することができるとともに、建物に火災が生じた場合、当該小屋裏Ｓが煙突の機能を果たしてしまうのを確実に防止することができる。また、開閉部材３’は、排気孔２’の周囲を覆いつつ形成された枠体８’と、該枠体８’に取り付けられて電動で駆動可能とされ当該動作により排気孔２’を開閉するシャッター部材９’とを具備したので、汎用的構成要素にて開閉部材３’を構成させることができ、製造コストを抑えることができる。
【００２６】
以上、本実施形態について説明したが、本発明はこれらに限定されず、例えば他の形態の屋根を有した建物にも適用することができる。また、開閉手段は、小屋裏に形成された排気孔を開閉可能とされていれば足り、例えばシャッター部材とは異なるもの（観音開きで開閉するもの等）としてもよい。尚、シャッター部材を用いる場合、難燃性部材や断熱部材等から成る防火シャッターが好ましいが、他の部材から成るものであってもよい。
【産業上の利用可能性】
【００２７】
排気孔を開閉可能とされ、開状態で当該排気孔からの空気の排出が許容されるとともに、閉状態で当該排気孔からの空気の排出が遮断される開閉手段と、建物の何れかの部位に配設され、火災を検知する火災検知手段と、該火災検知手段にて火災が検知されると開閉手段を閉状態とする制御手段とを備えた小屋裏換気装置であれば、外観形状が異なるもの或いは他の機能が付加されたもの等にも適用することができる。
【図面の簡単な説明】
【００２８】
【図１】本発明の第１の実施形態に係る小屋裏換気装置を示す全体模式図
【図２】同小屋裏換気装置における開閉手段（開状態）を示す斜視図
【図３】同開閉手段（閉状態）を示す斜視図
【図４】本発明の第２の実施形態に係る小屋裏換気装置を示す全体模式図
【図５】同小屋裏換気装置における開閉手段（開状態）を示す斜視図
【図６】同開閉手段（閉状態）を示す斜視図
【符号の説明】
【００２９】
１    吸気孔
２、２’  排気孔
３、３’  開閉手段
４〜６  センサ（火災検知手段）
７    制御手段
８、８’  枠体
９、９’  シャッター部材
Ｓ    小屋裏
【図１】
2009013688.tif 000003
【図２】
2009013688.tif 000004
【図３】
2009013688.tif 000005
【図４】
2009013688.tif 000006
【図５】
2009013688.tif 000007
【図６】
2009013688.tif 000008